(57)【要約】【課題】施設管理者と利用者との双方にかかる手間を解消することができるＩＤ情報を利用した照明設備制御システムを提供することにある。【解決手段】施設（７）の利用者（１）が、事前に施設管理者（２）に利用者（１）登録を申請して、施設管理者（２）の発行するＩＤ記録媒体（１０）を取得し、そのＩＤ記録媒体（１０）を日常的に所持し、施設（７）利用時にＩＤ記録媒体（１０）を利用施設（７）に設置された制御装置（４）に投入する、または、ＩＤ情報を入力することにより所要の照明設備を点滅させてなる。【選択図】　　図１
2004127729.tif 000002
【特許請求の範囲】
【請求項１】
施設の利用者が、事前に施設管理者に利用者登録を申請して、施設管理者の発行するＩＤ記録媒体を取得し、そのＩＤ記録媒体を日常的に所持し、施設利用時にＩＤ記録媒体を利用施設に設置された制御装置に投入する、または、ＩＤ情報を入力することにより所要の照明設備を点滅させてなることを特徴とするＩＤ情報を利用した照明設備制御システム。
【請求項２】
上記利用者が、施設管理者の運用する施設予約システムを使って施設の予約を行ない、成立した予約情報を制御装置に与え、その予約情報に基づいて所要の照明設備を点滅させてなることを特徴とする請求項１記載のＩＤ情報を利用した照明設備制御システム。
【請求項３】
上記制御装置が利用者の投入したＩＤ記録媒体からＩＤ情報を読み取り、予約情報に含まれるＩＤ情報と照合して利用者の認証を行なった後、予約情報を画面に表示して、利用者がその予約情報を確認するようになしたことを特徴とする請求項１または請求項２記載のＩＤ情報を利用した照明設備制御システム。
【請求項４】
上記施設管理者が、通信回線を通じた遠隔操作により、強制的に照明設備を点滅させるようになしたことを特徴とする請求項１ないし請求項３いずれか記載のＩＤ情報を利用した照明設備制御システム。
【発明の詳細な説明】
【０００１】
【発明の属する技術分野】
本発明は、ＩＤ情報を利用した照明設備制御システムに関し、さらに詳しくは、スポーツ施設などの時間貸し施設を利用者に貸し出す場合に、予約情報に応じて照明設備を点滅させるＩＤ情報を利用した照明設備制御システムに関するものである。
【０００２】
【従来の技術】
従来より、専用カードや専用コインなどの媒体を利用した照明設備制御システムが提供されている。専用カードを利用した照明設備制御システムの概略図を図４に示す。この図４に示すごとく、利用者（１）は、事前に料金と引き換えに施設管理者（２）から専用カード（３）を受け取るものである。そして、専用カード（３）には、点灯させる照明設備の範囲と使用可能な時間に対応した点数が記憶されているものである。
【０００３】
図４に示すごとく、利用者（１）は、施設利用日に専用カード（３）を持参し、施設（７）に設置された制御装置（４）に投入するものである。この制御装置（４）は、専用カード（３）に記憶された情報を読み取り、所要の照明設備、例えば、同図４に示す場合であると、照明設備Ａ（５）、および、照明設備Ｂ（６）のいずれか一方または両方を点灯させ、専用カード（３）を一度利用者（１）に返却するものである。また、利用後、利用者（１）は、再度専用カード（３）を制御装置（４）に投入するものである。同制御装置（４）は、点灯している照明設備Ａ（５）、および、照明設備Ｂ（６）のいずれか一方または両方を消灯させて、使用時間分の点数を減算した専用カード（３）を利用者（１）に返却するものである。そして、減算後に、点数が残っていなければ、専用カード（３）を制御装置（４）内に取り込むものであった。ところで、施設管理者（２）は、定期的に制御装置（４）に取り込まれた専用カード（３）を回収して、再利用するものであった。
【０００４】
一方、ホテルの客室内の照明設備を制御するものには、下記の特許文献１に示されるホテル業務管理装置がある。上述した専用カードに相当する媒体としては、ルームキーに付属の部屋番号識別ＩＤ付キータグを使用しているものであった。そして、チェックインの際、フロント係がキーを客に渡す前に、部屋番号識別ＩＤ付キータグをフロントに設置された入力装置に読ませると、コンピュータが部屋番号を識別して、その部屋の設備への電源供給回路のスイッチが投入されるものである。そして、チェックアウトする時は、フロント係がキーを客から受け取り、部屋番号識別ＩＤ付キータグを入力装置に読ませると、電源供給回路のスイッチが切断されるものであった。
【０００５】
【特許文献１】
特開昭５８−２１１２７４号公報
【０００６】
【発明が解決しようとする課題】
前述の専用カードを利用した照明設備制御システムの場合、利用者（１）は、事前に専用カード（３）を受け取るために何度も施設管理者（２）の所へ出向く必要があった。そして、施設管理者（２）は、利用者（１）に専用カード（３）を発行して、料金を受け取る窓口業務を行ない、制御装置（４）に取り込まれた専用カード（３）を定期的に回収する必要があった。
【０００７】
また、利用者（１）は、施設利用後に専用カード（３）を再投入して照明設備を消灯する必要があった。もし、再投入を忘れた場合、予め設定された強制終了時刻まで点数が残っている限り点灯し続けるために、無駄な電力を使用することになるものであった。
【０００８】
さらに、前述の照明設備制御システムでは、利用者（１）が予約した本人であるかどうかの認証や予約情報の確認などの受付機能は備わっていないものであった。つまり、受付業務を行なうためには、施設管理者（２）が管理人を施設（７）に配置する必要があった。
【０００９】
一方、上述の特許文献１に示されたホテル業務管理装置の場合、電気設備の制御を行なうのはホテルのフロント係であり、フロント係の業務の軽減にはならないものであった。また、このホテル業務管理装置をスポーツ施設などの時間貸し施設に使用する場合、必ず管理人を配置する必要があり、無人化することはできないものであった。さらに、媒体として使用する部屋番号識別ＩＤ付キータグは、ホテルの備品であり、利用者が日常的に所持するものではないために、使用範囲はそのホテル内に限られるものであった。したがって、複数の施設で共通のシステムを運用する場合でも、施設ごとに別の部屋番号識別ＩＤ付キータグを備えて管理しなければならないものであった。
【００１０】
本発明は、上述の事実に鑑みてなされたものであって、その目的とするところは、施設管理者と利用者との双方にかかる手間を解消することができるＩＤ情報を利用した照明設備制御システムを提供することにある。
【００１１】
【課題を解決するための手段】
本発明の請求項１に係るＩＤ情報を利用した照明設備制御システムは、施設（７）の利用者（１）が、事前に施設管理者（２）に利用者（１）登録を申請して、施設管理者（２）の発行するＩＤ記録媒体（１０）を取得し、そのＩＤ記録媒体（１０）を日常的に所持し、施設（７）利用時にＩＤ記録媒体（１０）を利用施設（７）に設置された制御装置（４）に投入する、または、ＩＤ情報を入力することにより所要の照明設備を点滅させてなることを特徴とする。
【００１２】
従来の制御システムで使用する専用カードや専用コインなどの媒体は、利用者個人を特定していないために、媒体の発行と回収を繰り返し行なう必要があった。一方、本発明で使用するＩＤ記録媒体（１０）は、利用者（１）登録の申請を受けて発行されるために、利用者（１）個人が特定されており、さらに、登録後は利用者（１）が日常的に所持するものである。したがって、利用者（１）は媒体を受け取るために何度も施設管理者（２）の所へ出向く手間を省くことができて、施設管理者（２）は媒体の発行と回収を繰り返し行なう手間を省くことができるものである。さらに、利用者（１）が登録申請の際に金融機関の口座を届け出ることにより、口座引き落としによる利用料金の決済が可能となり、施設管理者（２）は、窓口で媒体の料金を受け取る手間を省くことができるものである。
【００１３】
また、本発明の請求項２に係るＩＤ情報を利用した照明設備制御システムは、上記利用者（１）が、施設管理者（２）の運用する施設予約システムを使って施設（７）の予約を行ない、成立した予約情報を制御装置（４）に与え、その予約情報に基づいて所要の照明設備を点滅させてなることを特徴とする。
【００１４】
従来の制御システムでは、照明設備を消灯するために専用カードを再投入する必要がある。もし、再投入を忘れた場合、予め設定された強制終了時刻まで点数が残っている限り点灯し続けるため、無駄な電力を使用することになる。一方、本発明の制御システムは、施設予約システムの予約情報に基づいて照明設備を制御するものである。予約情報には、使用開始時刻と終了時刻が含まれており、終了時刻になると自動的に照明設備を消灯するために、ＩＤ記録媒体（１０）を再投入する必要がなく、再投入を忘れることによる無駄な電力使用がないものである。
【００１５】
さらに、本発明の請求項３に係るＩＤ情報を利用した照明設備制御システムは、上記制御装置（４）が利用者（１）の投入したＩＤ記録媒体（１０）からＩＤ情報を読み取り、予約情報に含まれるＩＤ情報と照合して利用者（１）の認証を行なった後、予約情報を画面に表示して、利用者（１）がその予約情報を確認するようになしたことを特徴とする。
【００１６】
従来の制御システムで使用する専用カードは、利用者個人を特定していないため、利用者が予約した本人であるかどうかの認証を行なうことはできないものであった。一方、本発明で使用するＩＤ記録媒体（１０）は、利用者（１）個人が特定されているために、投入されたＩＤ記録媒体（１０）のＩＤ情報と予約情報に含まれるＩＤ情報を照合することによって、利用者（１）が予約した本人であるかどうかの認証を行なうことができるものである。さらに、予約情報を画面に表示することで、利用者（１）に予約情報を確認させることができるものである。つまり、制御装置（４）が受付機能を備えているために、施設（７）に配置されていた管理人の手間を省いたり、同管理人をなくして無人化したりすることができるものである。
【００１７】
そして、本発明の請求項４に係るＩＤ情報を利用した照明設備制御システムは、上記施設管理者（２）が、通信回線（８）を通じた遠隔操作により、強制的に照明設備を点滅させるようになしたことを特徴とする。
【００１８】
このように構成することで、ＩＤ記録媒体（１０）の紛失や置き忘れ、破損などのトラブルに対して対処することができて、利用者（１）は施設管理者（２）に申し出さえすれば、施設管理者（２）が通信回線（８）を通じた遠隔操作により所要の照明設備を強制的に制御することができるので、不自由なく照明設備を利用することができるものである。
【００１９】
【発明の実施の形態】
以下、本発明の実施の形態を図面を参照しながら詳しく説明する。
【００２０】
（実施形態１）
本発明の実施形態１に係るＩＤ情報を利用した照明設備制御システムの概略図を図１に示す。図１に示すごとく、施設管理者（２）の所に施設予約システムを運用するサーバが設置され、利用施設（７）に制御装置（４）が設置されて、本実施形態では、両者は通信回線（８）のうち、第２の通信回線（１２）により接続されるものである。
【００２１】
利用者（１）は、事前に施設管理者（２）に利用者（１）登録を申請し、利用料金を決済する金融機関の口座を届け出て、施設管理者（２）が発行するＩＤ記録媒体（１０）を取得するものである。ＩＤ記録媒体（１０）には、ＩＣカードや磁気カードなどがあるが、態様はこれに限定されないものである。
【００２２】
利用者（１）は、施設管理者（２）が運用する施設予約システムを使って施設（７）の予約を行なうものである。施設予約システムの仕様や運用方法は、施設管理者（２）ごとに異なるが、概ね、利用者（１）が汎用パソコン、携帯電話、固定電話、ＦＡＸ、専用端末などの予約端末（９）から通信回線（８）のうち、第１の通信回線（１１）を通じて施設管理者（２）のサーバにアクセスし、予約申請する機能を備えているものである。汎用パソコンや携帯電話の場合、インターネットを通じて２４時間どこからでも予約申請可能であり、特に利便性が高いものである。専用端末は、スポーツ施設や公民館などの公共施設をはじめ、駅、コンビニエンスストアーなどに設置されるものである。予約申請の際、利用者（１）は自分のＩＤ情報を入力するものである。そして、予約端末（９）にＩＤ記録媒体（１０）の読み取り装置がある場合は、ＩＤ記録媒体（１０）を投入し、必要に応じて暗証番号を入力するものである。なお、予約端末（９）にＩＤ記録媒体（１０）の読み取り装置がない場合は、ＩＤ番号と暗証番号などのＩＤ情報を入力するものである。
【００２３】
施設管理者（２）のサーバは、予約申請の内容と施設（７）の空き状況とを照合して予約を成立させる機能を備えているものである。予約が成立すると、施設管理者（２）のサーバは、成立した予約情報を上記第２の通信回線（１２）を通じて利用施設（７）に設置された制御装置（４）に送信するものである。
【００２４】
利用者（１）は、施設（７）利用日にＩＤ記録媒体（１０）を持って利用施設（７）へ行き、施設（７）に設置された制御装置（４）の投入口にＩＤ記録媒体（１０）を投入し、必要に応じて暗証番号を入力するものである。制御装置（４）は、投入されたＩＤ記録媒体（１０）からＩＤ情報を読み取り、施設管理者（２）のサーバから送信された予約情報に含まれるＩＤ情報と照合して、利用者（１）が予約した本人であるかどうかの認証を行うものである。そして、認証が終わると、予約情報を画面に表示するものである。それから、利用者（１）は、予約情報を確認した後、確認ボタンを押すことで受付が完了するものである。
【００２５】
制御装置（４）は、利用開始時刻になると所要の照明設備、例えば、同図１に示す場合であると、照明設備Ａ（５）、および、照明設備Ｂ（６）のいずれか一方または両方を点灯させ、終了時刻になると消灯させるものである。制御する設備の範囲やスケジュールの設定としては、制御装置（４）本体の操作または通信回線（８）を通じた遠隔操作により登録、追加、変更することが可能である。
【００２６】
利用時間終了後、制御装置（４）は利用結果情報を記録して、施設管理者（２）のサーバに送信するものである。これによって、施設管理者（２）は、利用結果に基づいた利用料金請求額を計算することが可能となるものである。また、利用料金は、事前に利用者（１）が届け出た金融機関の口座から引き落とすものである。
【００２７】
なお、降雨などの理由により使用を中止する場合、利用者（１）は受付時と同様に、制御装置（４）の投入口にＩＤ記録媒体（１０）を投入して使用中止の手続きを行なうものである。その場合、制御装置（４）は、直ちに点灯している照明設備Ａ（５）、および、照明設備Ｂ（６）のいずれか一方または両方を消灯させるものである。これによって、無駄な電力の使用を防ぐとともに、未使用の時間分の利用料金を割り引くことができるものである。
【００２８】
ところで、利用者（１）がＩＤ記録媒体（１０）を紛失したり置き忘れたりした場合やＩＤ記録媒体（１０）が破損して使用できなくなった場合、利用者（１）は施設管理者（２）に電話などでその旨を申し出る。そして、施設管理者（２）は、名前や暗証番号などのＩＤ情報を聞き取り、利用者（１）が予約した本人であるかどうかの認証を行なった上で、通信回線（８）を通じた遠隔操作により所要の照明設備を強制的に制御するものである。
【００２９】
以上のように、この実施形態１によると、照明設備の制御に使用するＩＤ記録媒体（１０）を利用者（１）が日常的に所持するため、利用者（１）は媒体を受け取るために何度も施設管理者（２）の所へ出向く手間を省くことができて、施設管理者（２）は媒体の発行と回収を繰り返し行なう手間を省くことができるものである。また、口座引き落としによる利用料金の決済が可能であるため、施設管理者（２）は窓口で利用料金を受け取る手間を省くことができるものである。
【００３０】
また、制御装置（４）は予約情報に基づいて所要の照明設備を制御し、終了時刻になると連続して予約が入っていない限り自動的に照明設備を消灯させるので、ＩＤ記録媒体（１０）を再投入する必要がないものである。さらに、制御装置（４）が受付機能を備えるために、施設（７）に配置された管理人の手間を省いたり、管理人をなくして無人化したりすることができるものである。
【００３１】
（実施形態２）
本発明の実施形態２に係るＩＤ情報を利用した照明設備制御システムの概略図を図２に示す。図２に示すごとく、施設管理者（２）の所に施設予約システムを運用するサーバが設置され、利用施設（７）に制御装置（４）が設置されるが、両者を通信回線（８）によって接続する必要はないものである。成立した予約情報は、ＩＤ記録媒体（１０）を介して制御装置（４）に送られるものである。
【００３２】
利用者（１）は、施設予約の際、予約端末（９）にＩＤ記録媒体（１０）を投入し、必要に応じて暗証番号を入力するものである。予約が成立すると、その予約情報がＩＤ記録媒体（１０）に書き込まれるものである。したがって、施設（７）予約は書き込み装置のついた予約端末（９）に限定されるものである。
【００３３】
利用者（１）は、施設（７）利用日にＩＤ記録媒体（１０）を持って利用施設（７）へ行き、施設（７）に設置された制御装置（４）の投入口にＩＤ記録媒体（１０）を投入するものである。そして、制御装置（４）は、投入されたＩＤ記録媒体（１０）からＩＤ情報と予約情報を読み取ることによって、利用者（１）が予約した本人であるかどうかの認証を行ない、予約情報を画面に表示するものである。それから、利用者（１）は、予約情報を確認した後、確認ボタンを押すことで受付が完了するものである。
【００３４】
制御装置（４）は、利用開始時刻になると所要の照明設備、例えば、同図２に示す場合であると、照明設備Ａ（５）、および、照明設備Ｂ（６）のいずれか一方または両方を点灯させ、終了時刻になると消灯させるものである。利用時間終了後、制御装置（４）は利用結果情報を内部の記憶装置に記録するものである。施設管理者（２）は、定期的に利用結果情報を取り出し、利用結果に基づいた利用料金請求額を計算することも可能である。
【００３５】
以上のように、この実施形態２によると、施設管理者（２）に設置されたサーバと利用施設（７）に設置された制御装置（４）を通信回線（８）で接続する必要がなくなるために、システムの導入コストを低く抑えることができるものである。
【００３６】
（実施形態３）
本発明の実施形態３に係るＩＤ情報を利用した照明設備制御システムの概略図を図３に示す。この実施形態は、図３に示すごとく、ＩＤ記録媒体（１０）の投入だけで照明設備を制御する簡易的な方法であり、制御装置（４）に予約情報を入力しないので、サーバと制御装置（４）を通信回線（８）によって接続する必要はないものである。また、書き込み装置のついた予約端末（９）も不要なものである。
【００３７】
利用者（１）は、施設（７）利用日にＩＤ記録媒体（１０）を持って利用施設（７）へ行く。照明設備を使用する場合は、施設（７）に設置された制御装置（４）の投入口にＩＤ記録媒体（１０）を利用者（１）が投入するものである。次に、利用者（１）がボタン操作などにより使用場所を選択すると、制御装置（４）は所要の照明設備、例えば、同図３に示す場合であると、照明設備Ａ（５）、および、照明設備Ｂ（６）のいずれか一方または両方を点灯させて、ＩＤ記録媒体（１０）を一度利用者（１）に返却するものである。そして、終了後、利用者（１）がＩＤ記録媒体（１０）を再投入すると、制御装置（４）は照明設備を消灯させて、利用結果情報を内部の記憶装置に記録するものである。
【００３８】
以上のように、この実施形態３によると、通信回線（８）による接続や書き込み装置のついた予約端末（９）が不要なために、システムの導入コストを低く抑えることができるものである。予約情報を入力しないために、利用者（１）が予約した本人であるかどうかの認証はできないが、ＩＤ記録媒体（１０）を投入するので、利用者（１）が登録された人であるかどうかの認証は可能である。
【００３９】
なお、本発明の実施形態１〜３では、制御の対象を照明設備としているものであるが、対象はこれに限定されることなく、広く利用することができるものである。例えば、終了時間を予告するブザーや回転灯、屋内施設の場合には、空調設備なども含まれるものである。そして、扉に電気錠が使用される場合は、扉の施錠も制御することができるものである。
【００４０】
また、本発明の実施形態１〜３では、利用者（１）の認証方法として、ＩＤ記録媒体（１０）の投入を例示したが、ＩＤ記録媒体（１０）を使用せずに、ＩＤ番号と暗証番号などのＩＤ情報を制御装置（４）に付属のキーボードなどから入力することでも代用できるものである。
【００４１】
また、携帯電話から所定の電話番号にダイヤルして番号通知をすることで認証する方法や携帯電話に内蔵されたＩＣにＩＤ情報を記録しておき、制御装置（４）の読み取り装置がＩＤ情報を読み取る方法、携帯電話から電波を発信して、制御装置（４）の受信機がＩＤ情報を受信する方法などがある。さらに、指紋や声紋、顔の画像、虹彩の模様、手形、筆跡などの生体情報を利用した認証方法もある。これらＩＤ記録媒体（１０）を使用しない認証方法によると、施設管理者（２）は、ＩＤ記録媒体（１０）を発行する必要がなくなるので、導入コストを抑えることが可能となるものである。また、利用者（１）は、ＩＤ記録媒体（１０）を紛失したり、置き忘れたりする心配がなくなるものである。
【００４２】
【発明の効果】
本発明の請求項１に係るＩＤ情報を利用した照明設備制御システムによると、利用者の登録申請を受けて施設管理者が発行するＩＤ記録媒体を照明設備の制御に利用する方法であって、ＩＤ記録媒体は利用者個人が特定されており、さらに登録後は利用者がＩＤ記録媒体を日常的に所持するので、利用者は媒体を受け取るために何度も施設管理者の所へ出向く手間を省くことができて、施設管理者は媒体の発行と回収を繰り返し行なう手間を省くことができるものである。
【００４３】
すなわち、本発明は、施設管理者と利用者との双方にかかる手間を解消することができるものである。
【００４４】
本発明の請求項２に係るＩＤ情報を利用した照明設備制御システムによると、請求項１記載の場合に加えて、成立した予約情報に基づいて所要の照明設備を制御する方法であって、予約情報には使用開始時刻と終了時刻が含まれており、終了時刻になると自動的に照明設備を消灯させるため、ＩＤ記録媒体を再投入する必要がなく、再投入を忘れることによる無駄な電力使用がないものである。また、ＩＤ記録媒体のＩＤ情報と予約情報に含まれるＩＤ情報を照合して、利用者が予約した本人であるかどうかの認証を行ない、予約情報を表示して利用者に確認させるといった受付機能を付加することができるので、施設に配置された管理人の手間を省いたり、管理人をなくして無人化したりすることが可能となるものである。
【００４５】
本発明の請求項３に係るＩＤ情報を利用した照明設備制御システムによると、請求項１または請求項２記載の場合に加えて、使用されるＩＤ記録媒体は、利用者個人が特定されているために、投入されたＩＤ記録媒体のＩＤ情報と予約情報に含まれるＩＤ情報を照合することによって、利用者が予約した本人であるかどうかの認証を行なうことができるものである。さらに、予約情報を画面に表示することで、利用者に予約情報を確認させることができるものである。つまり、制御装置が受付機能を備えているために、施設に配置されていた管理人の手間を省いたり、同管理人をなくして無人化したりすることができるものである。
【００４６】
本発明の請求項４に係るＩＤ情報を利用した照明設備制御システムによると、請求項１ないし請求項３いずれか記載の場合に加えて、ＩＤ記録媒体の紛失や置き忘れ、破損などのトラブルに対する対処方法であって、施設管理者が通信回線を通じた遠隔操作により所要の照明設備を強制的に制御することができるので、利用者は施設管理者に申し出さえすれば、不自由なく照明設備を利用することができるものである。
【図面の簡単な説明】
【図１】本発明の実施形態１に係るＩＤ情報を利用した照明設備制御システムの概略図である。
【図２】本発明の実施形態２に係るＩＤ情報を利用した照明設備制御システムの概略図である。
【図３】本発明の実施形態３に係るＩＤ情報を利用した照明設備制御システムの概略図である。
【図４】従来例に係る専用カードを利用した照明設備制御システムの概略図である。
【符号の説明】
１　　利用者
２　　施設管理者
４　　制御装置
７　　施設
８　　通信回線
１０　ＩＤ記録媒体
【図１】
2004127729.tif 000003
【図２】
2004127729.tif 000004
【図３】
2004127729.tif 000005
【図４】
2004127729.tif 000006